(57)【要約】      （修正有）【課題】天板の折畳み時に脚の下側部分が天板から食み出るのを防止できるようにして保管や運搬等のスペースの狭小化を可能にし、保管台数や運搬台数の増加、ひいては保管や運搬等のコストを低減化できる折畳み式テーブルを提供する。【解決手段】天板が起立状に折畳み自在に形成され、天板を支持する脚の下側部分が、天板の折畳み時に天板の垂直状の天面から食み出る状態に曲げられている折畳み式テーブルであって、脚２の下側部分２ａが、脚の真っ直ぐな上側部分２ｂに、上側部分の軸線Ｌを中心に回動自在に、且つ天板１の折畳み時に背中合わせに配置される天板同士が作る隙間Ｓに格納されて固定自在に形成される。【選択図】図１
0003231764.tif 000002
【実用新案登録請求の範囲】
【請求項１】
天板が起立状に折畳み自在に形成され、この天板を支持する脚の下側部分が、天板の折畳み時に天板の垂直状の天面から食み出る状態に曲げられている折畳み式テーブルであって、上記の脚の下側部分が、脚の真っ直ぐな上側部分に、この上側部分の軸線を中心に回動自在に、且つ天板の折畳み時に背中合わせに配置される天板同士が作る隙間に格納されて固定自在に形成されていることを特徴とする折畳み式テーブル。
【請求項２】
請求項1記載の折畳み式テーブルであって、脚の上側部分に脚の周方向に間隔をあけて孔が形成され、この孔に突起を嵌合させて脚の下側部分を脚の上側部分に固定する手動操作部が、脚の下側部分の上部に突起を脚の下側部分の内方に常時付勢する状態で設けられ、この手動操作部で突起と孔との嵌合状態を制御して脚の下側部分の回動と上側部分に対する固定が可能になるよう形成されていることを特徴とする折畳み式テーブル。
【請求項３】
請求項２記載の折畳み式テーブルであって、脚の下側部分を格納したとき突起を嵌合させる孔が、その軸心を、折畳み時の天板の垂直面と平行する脚の上側部分の直径線に合わせて形成されていることを特徴とする折畳み式テーブル。
【考案の詳細な説明】
【技術分野】
【０００１】
本考案は、折畳み式テーブルに関し、更に詳しくは天板の折畳み時に脚が占めるスペースを狭小化できるよう形成した折畳み式テーブルに関するものである。
【背景技術】
【０００２】
従来、天板を起立状に折畳むことができるテーブルとしては、例えば特許文献１、同２に記載されているものがある。
【０００３】
この種の従来品は、保管時や運搬時に天板が占めるスペースを小さくできることから、保管等のスペースを狭小化できる、という利点がある。
【０００４】
ただこの種のテーブルは、特許文献１、同２に見られるように、天板を水平に拡げたとき安定的に支持できるよう、脚の下側部分が外側に曲げられ、天板の折畳み時に、脚の下側部分が上から見て、例えばハの字形等に配置されるよう形成されているのが通例であった。
【０００５】
従って、この種の従来品は、天板の折畳み時に、脚の下側部分が天板から食み出るのを避けられなかった。そのため、従来品は、保管時のスペースや運搬時の梱包サイズが大きくなったから、従来品を使用すると、保管台数や運搬台数を増やすことができず、保管や運搬のコストが増え、保管等を効率良くできない、という問題点があった。
【先行技術文献】
【特許文献】
【０００６】
【特許文献１】実公平３−１６４９６号公報
【特許文献２】特公昭５１−９３４９号公報
【考案の概要】
【考案が解決しようとする課題】
【０００７】
本考案は、このような従来品の問題点に鑑み、提案されたものである。
従って、本考案の解決しようとする技術的課題は、天板が起立状に折畳み可能に形成され、天板を支持する脚の下側部分が曲げられ、この脚の下側部分が天板の折畳み時に起立状の天板から外側に食み出るタイプの折畳み式テーブルにおいて、天板の折畳み時に脚の下側部分が天板から食み出るのを防止できるようにして保管や運搬等のスペースの狭小化を可能にし、保管台数や運搬台数の増加、ひいては保管や運搬等のコストを低減化できるよう形成した折畳み式テーブルを提供することにある。
【課題を解決するための手段】
【０００８】
本考案は、上記の課題を解決するため、次のような技術的手段を採る。
即ち、本考案は、図１等に示されるように、天板１が起立状に折畳み自在に形成され、この天板１を支持する脚２の下側部分２ａが、天板１の折畳み時に天板１の垂直状の天面から食み出る状態に曲げられている折畳み式テーブルであって、上記の脚２の下側部分２ａが、脚２の真っ直ぐな上側部分２ｂに、この上側部分２ｂの軸線Ｌを中心に回動自在に、且つ天板１の折畳み時に背中合わせに配置される天板１同士が作る隙間Ｓに格納されて固定自在に形成されていることを特徴とする（請求項１）。
【０００９】
本考案の場合、脚２の下側部分２ａは、接地面（床面）と平行になるよう屈曲状に曲げられているのでも良く、湾曲されている場合には限られない。天板１の形状は任意であり、半円形、或いは四角形等の多角形や、連結されると菱形や楕円形等になるようデザインされているのでも良い。また脚２は、通常、円筒状や角筒状の金属製パイプで形成されるが、その材質や本数は任意である。
【００１０】
また本考案のテーブルは、図４等に示されるように、脚２の上側部分２ｂに脚２の周方向に間隔をあけて孔４が形成され、この孔４に突起５を嵌合させて脚２の下側部分２ａを脚２の上側部分２ｂに固定する手動操作部６が、脚２の下側部分２ａの上部に突起５を脚２の下側部分２ａの内方に常時付勢する状態で設けられ、この手動操作部６で突起５と孔４との嵌合状態を制御して脚２の下側部分２ａの回動と上側部分２ｂに対する固定が可能になるよう形成されているのが好ましい（請求項２）。
【００１１】
なぜならこれによると、脚２の下側部分２ａをワンタッチで固定と解除が可能になり、使い勝手が良くなるからである。またこれによると、天板１から脚２の下側部分２ａを取り外したり、取り付け直すことなく、脚２を、簡便、迅速に組み立てることができるからである。
【００１２】
また本考案のテーブルは、図７に示されるように、脚２の下側部分２ａを格納したとき突起５を嵌合させる孔４が、その軸心Ｃを、折畳み時の天板１の垂直面と平行する脚２の上側部分２ｂの直径線ｄに合わせて形成されているのが好ましい（請求項３）。
【００１３】
なぜならこれによると、脚２の下側部分２ａを、上記の直径線ｄ上に整然と綺麗に格納できるからである。
【考案の効果】
【００１４】
本考案は、このように脚の下側部分が、脚の真っ直ぐな上側部分に、この上側部分の軸線を中心に回動自在に、且つ天板の折畳み時に背中合わせに配置される天板同士が作る隙間に格納されて固定自在に形成されているものである。
【００１５】
従って、本考案は、天板を折畳んだとき、脚の下側部分が天板から食み出るのを防止できる。それ故、これによれば、脚の下側部分が天板から食み出て保管や運搬等のスペースを狭小化させることがない。
【００１６】
その結果、これによれば、保管スペースや運搬時の梱包サイズを小さくでき、その分、狭いスペースに沢山のテーブルを格納できる。
【００１７】
また従来品は、脚の下側部分が支障となって積み重ねにくいものであったが、本考案によれば、積み重ねて効率良く保管や運搬を行うことができる。
従って、これによれば、天板を起立状に折畳んだときのスペースを狭小化できることと併せ、保管台数や運搬台数を増やすことができ、ひいては保管コストや運送コストを軽減できる、という実用上優れた効果を奏する。
【図面の簡単な説明】
【００１８】
【図１】本考案のテーブルの好適な一実施形態を示す側面図である。
【図２】同上テーブルの一部を切欠した要部斜視図である。
【図３】手動操作部を示す要部斜視図である。
【図４】Ａ、Ｂとも手動操作部の作用を説明するための要部側面図である。
【図５】手動操作部の作用を説明するための要部正面図である。
【図６】脚の下側部分の動きを説明するための平面図である。
【図７】図６の一部を切欠した要部拡大図である。
【図８】同上テーブルの収納、保管時の状態を説明するための側面図である。
【図９】脚の下側部分の他の動きを説明するための平面図である。
【図１０】図９の本考案品の一部を切欠した要部拡大図である。
【図１１】手動操作部の他の実施形態を示す斜視図である。
【図１２】図１１に示す手動操作部の作用を説明するための一部を切欠した要部側面図である。
【考案を実施するための形態】
【００１９】
以下、本考案を実施するための好適な一実施形態を、添付図面に従って説明する。
【００２０】
本考案のテーブルは、図１等に示されるように、天板１が起立状に折畳み自在に形成されている。この天板１を支持する脚２の下側部分２ａは、天板１の折畳み時に天板１の垂直状の天面から食み出る状態に、この実施形態では湾曲されている。
【００２１】
天板１は、持ち上げられて水平に連結されると、この実施形態では長円形になるよう、連結側は直線状に、開放端側は弧状に形成されている。また天板１は、水平に連結されると、ロック可能に形成されている。
【００２２】
脚２は、この実施形態では金属製の丸管で形成され、各天板１において隣り合う脚２は、床面に沿った横向きのパイプ３（図２参照）で連結されている。また脚２の下側部分２ａは、脚２の真っ直ぐな上側部分２ｂに、この上側部分２ｂの軸線Ｌ（図１等参照）を中心に回動自在に、且つ天板１の折畳み時に背中合わせに配置される天板１同士が作る隙間Ｓに格納されて固定自在に形成されている。
【００２３】
この実施形態の場合は、図１に示されるように、脚２の下側部分２ａが外側に回動されて開かれ、起立姿勢の天板１の垂直面から食み出されると、幅Ｄ１が４６０ミリに選定されている。また脚２の下側部分２ａが内方に回動されて隙間Ｓに格納されると、幅Ｄ２が１８０ミリになるよう選定されている。
【００２４】
また本考案は、脚２の上側部分２ｂに、脚２の周方向に間隔をあけて孔４（図４、図５、図７等参照）が貫通状に形成されている。この実施形態の場合、図７に示されるように、脚２の下側部分２ａを隙間Ｓに格納したとき突起５を嵌合させる孔４は、その軸心Ｃを、折畳み時の天板１の垂直面と平行する脚２の上側部分２ｂの直径線ｄに合わせて形成されている。また天板１が持ち上げられて水平に連結され、脚２の下側部分２ａが外側に回動して開かれたとき突起５が嵌合する孔４は、この実施形態では上記の直径線ｄから約４５度、脚２の周方向にずらされて形成されている。
【００２５】
また本考案は、孔４に突起５を嵌合させて脚２の下側部分２ａを脚２の上側部分２ｂに固定する手動操作部６（図３〜図５等参照）が、脚２の下側部分２ａの上部に設けられている。脚２の下側部分２ａの上部は径が拡大されている。手動操作部６は、この上部に、脚２の長手方向に沿って配置され、横軸７を介して枢着されている。突起５は、脚２の起立時において、手動操作部６の上側に設けられ、バネ８で脚２の下側部分２ａの内方に常時付勢されている。
【００２６】
本考案品は、上記の手動操作部６で突起５と孔４との嵌合状態を制御して脚２の下側部分２ａの回動と上側部分２ｂに対する固定が可能になるよう形成されているものである。
【００２７】
具体的には、突起５が、孔４に嵌合して脚２の下側部分２ａが上側部分２ｂに固定された状態で（図４Ａ参照）、手動操作部６の下側が手指９（図４Ｂ参照）でバネ８の弾発力に抗して押されると、横軸７を介して手動操作部６の上側が外側に回動し、これにより突起５が孔４から抜けて嵌合状態が解除するよう形成されている。また手指９が手動操作部６の下側から離されると、バネ８の復元力で手指操作部の上側が内方に回動し、突起５が孔４に係合して脚２の下側部分２ａが上側部分２ｂに連結されるものである。
【００２８】
なお、本考案のテーブルは、移動が容易になるよう、脚２の下側部分２ａの先端（下端）に、ストッパー付きのキャスター１０が取り付けられている。
【００２９】
次に、この実施形態の本考案品の使用例を説明する。
【００３０】
先ず、テーブルを収納、保管したり、運搬するときは、使用者は天板１を折畳み、脚２の下側部分２ａを天板１が作る隙間Ｓに格納する。
【００３１】
具体的には、使用者が、図４Ｂに示されるように、手動操作部６の下側を、バネ８の弾発力に抗して、例えば親指で押す。すると、横軸７を介して手動操作部６の上側が、外方向に回動し、突起５が孔４から抜け、これにより脚２の下側部分２ａのロック状態が解除される。
【００３２】
次に、使用者は、脚２の下側部分２ａを、脚２の上側部分２ｂの軸線Ｌ（図１、図３、図４等参照）を中心に、この実施形態では４５度、或いは１３５度回す（図６参照）。そして使用者は、手動操作部６の下側から親指を離す。
【００３３】
するとバネ８の復元力で手動操作部６の上側が、内方に回動し、突起５が折畳み時の天板１の垂直面と平行する脚２の上側部分２ｂの直径線ｄ（図７参照）に軸心Ｃが合わされた孔４に嵌合する。これにより、脚２の下側部分２ａが、脚２の上側部分２ｂに固定される。
【００３４】
なお、脚２の下側部分２ａを回すとき、使用者は、手動操作部６の下側から手指９を離し、突起５の先端を脚２の上側部分２ｂの周面に摺接させた状態で行うのでも良い。この場合は、突起５が４５度又は１３５度離れた位置の孔４に達すると、バネ８の作用で突起５が自動的に孔４に押し込まれてロックされる。
【００３５】
而して、この実施形態のように手動操作部６が形成されている場合は、ワンタッチで簡便、迅速に、脚２の下側部分２ａの回動と連結固定を行うことができるものである。なお、突起５と孔４との位置を確認する場合は、手動操作部６を利用して突起５と孔４との嵌合状態を解いた後、図５に示されるように、脚２の下側部分２ａを引き下ろし、孔４を視認できるようにして行うのが良い。
【００３６】
本考案品は、上記のように形成されている。従って、脚２の下側部分２ａは、図８に示されるように、天板１の折畳み時に、起立状の天板１が作る隙間Ｓに納まり、天板１から食み出ることがない。
【００３７】
それ故、同図に示されるように、本考案品は、収納時や保管時、或いは運搬時に、天板１の折畳み幅だけの小さな間隔を必要とするだけで、壁側に寄せ付けて並べることができる。その結果これによれば、限られたスペースに効率良く多数のテーブルを収納、保管できる。またその分、保管コストや運搬コストを低減できる。
【００３８】
以上の処において、本考案の場合、脚２の下側部分２ａの回動角度（回動範囲）、回動方向は、上例に限定されるものではない。
【００３９】
図９、図１０に示される実施形態は、孔４が、脚２の上側部分２ｂの周方向に、例えば９０度、間隔をあけて形成されているものである。即ち、本考案の場合、脚２の下側部分２ａは、要は、テーブルとしての使用時は、折畳み時の天板１の垂直面から外側に広げられ、格納時は天板１同士が作る隙間Ｓに納まるよう、孔４の形成位置が選定されているのであれば良い。
【００４０】
また本考案の場合、上記の手動操作部６は、図１１、図１２に示されるように形成されているのでも良く、上例に限定されるものではない。
【００４１】
この実施形態の手動操作部６は、金属製のコの字形の枠部材６ａと、この枠部材６ａの両端部の対向状の屈曲片６ｂ１、６ｂ２に渡されて、屈曲片６ｂ１、６ｂ２に摺動自在に通されている丸棒状の操作部材６ｃと、この操作部材６ｃを枠部材６ａの長手方向に沿った一方側に常時弾発しているコイルバネ６ｄとを備えて形成されている。
【００４２】
手動操作部６は、図１２に示されるように、コの字形の枠部材６ａが、隣り合う脚２を連結するパイプ３に、例えば溶接されることで設けられている。操作部材６ｃは、この実施形態では一端６ｃ１が屈曲され、この一端６ｃ１に、例えば手指を引掛けて操作できるよう形成されている。またこの操作部材６ｃの他端６ｃ２は、脚２の上側部分２ｂの貫通孔１１を介して下側部分２ａの孔４に挿通可能に形成されている。孔４は、上例と同様、脚２の周方向に所定角度ずらされた位置にも別個形成されている。
【００４３】
コイルバネ６ｄは、操作部材６ｃに外装され、操作部材６ｃに固定されている係止片６ｃ３と一方の屈曲片６ｂ１との間に配置されている。係止片６ｃ３は、コイルバネ６ｄの弾発力で他方の屈曲片６ｂ２に圧着されている。
【００４４】
次に、この実施形態の手動操作部６の作用を説明する。
先ず、脚２の下側部分２ａを格納する場合は、使用者は、操作部材６ｃの一端６ｃ１を、コイルバネ６ｄの弾発力に抗して、図１２において右側に引き  操作部材６ｃの他端６ｃ２を、孔４と貫通孔１１から抜いて脚２の下側部分２ａと上側部分２ｂとの連結固定状態を解除する。
【００４５】
次に、使用者は、脚２の下側部分２ａを所定角度回し、ずらされた位置の孔４と貫通孔１１が連通したところで操作部材６ｃの一端６ｃ１から手指を離す。すると、コイルバネ６ｄが復元し、操作部材６ｃの他端６ｃ２が、孔４と貫通孔１１に通される。これにより、脚２の下側部分２ａが、上側部分２ｂに連結固定され、天板１が作る隙間Ｓ（図１等参照）に格納される。格納状態から脚２の下側部分２ａを開く場合は、格納時と同様、手動操作部６を操作して行うものである。
【００４６】
なお、この実施形態では、脚２の下側部分２ａと上側部分２ｂとの継ぎ目１２（図１２参照）の上側の位置で手動操作部６を作動させているが、手動操作部６は、上例と同様、継ぎ目１２の下側の位置において下側部分２ａと上側部分２ｂとの連結固定及びその解除が可能になるよう設けられるのでも良い。
【符号の説明】
【００４７】
１      天板
２      脚
２ａ    下側部分
２ｂ    上側部分
３      パイプ
４      孔
５      突起
６      手動操作部
Ｌ      軸線
Ｓ      隙間
Ｃ      軸心
ｄ      直径線
【図１】
0003231764.tif 000003
【図２】
0003231764.tif 000004
【図３】
0003231764.tif 000005
【図４】
0003231764.tif 000006
【図５】
0003231764.tif 000007
【図６】
0003231764.tif 000008
【図７】
0003231764.tif 000009
【図８】
0003231764.tif 000010
【図９】
0003231764.tif 000011
【図１０】
0003231764.tif 000012
【図１１】
0003231764.tif 000013
【図１２】
0003231764.tif 000014